(57)【要約】   【課題】小形化及び軽量化を図ることができる道路標識、カーブミラー又は防護柵等の支柱を設置するためのプレキャスト型のコンクリートブロックを提供すること。  【解決手段】標識やカーブミラー等の支柱を固定する支柱固定用孔を有するブロック本体と、  該ブロック本体の下方から側方方向に延設された延設底板と、を設けた支柱固定用コンクリートブロック、とした。  【選択図】図１
2006299530.tif 000002
【特許請求の範囲】
【請求項１】
道路標識、カーブミラー、防護柵等の支柱を設置するためのプレキャスト型のコンクリートブロックにおいて、
前記支柱が挿入される支柱固定用孔を上面に有するブロック本体と、
該ブロック本体の下方に側方方向へ延設された延設底板と、を備えたことを特徴とする支柱固定用コンクリートブロック。
【請求項２】
延設底板は、隣り合う２つの側面の下方に設けられていることを特徴とする請求項１記載の支柱固定用コンクリートブロック。
【請求項３】
延設底板は、３つの側面の下方に設けられていることを特徴とする請求項１記載の支柱固定用コンクリートブロック。
【請求項４】
延設底板は、全ての側面の下方に設けられていることを特徴とする請求項１に記載の支柱固定用コンクリートブロック。
【請求項５】
支柱固定用孔が複数設けられていることを特徴とする請求項１から４のいずれかに記載の支柱固定用コンクリートブロック。
【請求項６】
ブロック上面は、支柱固定用孔周辺が最も高くなる傾斜面からなることを特徴とする請求項１から５のいずれかに記載の支柱固定用コンクリートブロック。
【請求項７】
ブロック本体は、直方体に形成されていることを特徴とする請求項１から６のいずれかに記載の支柱固定用コンクリートブロック。
【発明の詳細な説明】
【技術分野】
【０００１】
本発明は、主として道路脇に設置される道路標識、カーブミラー又は防護柵等の支柱を設置するためのプレキャスト型のコンクリートブロックに関する。
【背景技術】
【０００２】
従来、標識等の支柱を設置するためのプレキャスト型のコンクリートブロックとしては、プレキャストブロック基礎の箱抜き部の上部をプレキャストブロック基礎のコンクリートと一体に打設し、支柱立て込み時に上部コンクリートの取り壊しをして、防護柵・標識等の支柱を建て込む構造としたものがある。この発明によれば、工期を短縮し、施工管理・安全管理に優れたものとすることができ、結果としてトータルコストを安くすることができる（特許文献１参照）。
【０００３】
しかし、このプレキャスト型のコンクリートブロックは、ブロックの軽量化に対して特に考慮して作成されたものではなく、また小形を図ったものでもなかった。
【特許文献１】特開２００１−２９５２９９号公報
【発明の開示】
【発明が解決しようとする課題】
【０００４】
そこで、本発明は以上のような問題点を鑑みてなされたものであり、小形化及び軽量化を図ることができる道路標識、カーブミラー又は防護柵等の支柱を設置するためのプレキャスト型のコンクリートブロックを提供することにある。
【課題を解決するための手段】
【０００５】
以上のような課題を解決するために、請求項１に係る発明が採った手段は、道路標識、カーブミラー、防護柵等の支柱を設置するためのプレキャスト型のコンクリートブロックであって、
前記支柱が挿入される支柱固定用孔を上面に有するブロック本体と、
該ブロック本体の下方に側方方向へ延設された延設底板と、を備えたことを特徴とする支柱固定用コンクリートブロック、とするものである。
【０００６】
さらに、請求項２に係る発明が採った手段は、延設底板は、隣り合う２つの側面の下方に設けられていることを特徴とする請求項１記載の支柱固定用コンクリートブロック、とするものである。
【０００７】
また、請求項３に係る発明が採った手段は、延設底板は、３つの側面の下方に設けられていることを特徴とする請求項１記載の支柱固定用コンクリートブロック、とするものである。
【０００８】
また、請求項４に係る発明が採った手段は、延設底板は、全ての側面の下方に設けられていることを特徴とする請求項１に記載の支柱固定用コンクリートブロック、とするものである。
【０００９】
また、請求項５に係る発明が採った手段は、支柱固定用孔が複数設けられていることを特徴とする請求項１から４のいずれかに記載の支柱固定用コンクリートブロック、とするものである。
また、請求項６に係る発明が採った手段は、ブロック上面は、支柱固定用孔周辺が最も高くなる傾斜面からなることを特徴とする請求項１から５のいずれかに記載の支柱固定用コンクリートブロック、とするものである。
【００１０】
また、請求項７に係る発明が採った手段は、ブロック上面は、支柱固定用孔周辺が最も高くなる傾斜面からなることを特徴とする請求項１から５のいずれかに記載の支柱固定用コンクリートブロック、とするものである。
【発明の効果】
【００１１】
請求項１に係る支柱固定用コンクリートブロックによれば、ブロック本体に支柱固定用孔を予め設けてあるので、この支柱固定用孔に支柱を嵌め込むだけで支柱を立設することができ、施工期間の短縮化を図ることができる。さらに支柱固定用孔の直径を支柱よりも大きく形成し、支柱固定用孔と支柱との間にできる隙間に生コンクリートを打設してより強固な固定を行うことも可能となる。しかも、隙間に打設する生コンクリートの量は少ないので固化までの時間を短縮することができる。
【００１２】
また、請求項１に係る支柱固定用コンクリートブロックは、ブロック本体の下方に側方へ延びている延設底板を設けてあるので、該支柱固定用コンクリートブロックを地中内に設置すると延設底板に埋め戻し土が載置されることになる。従って、延設底板に載っている埋め戻し土の重量によって、延設底板ひいてはブロック本体を固定させることができる。それゆえ支柱固定用コンクリートブロックの転倒や浮きを確実に防止することができる。さらに、埋め戻し土の重量を利用して固定力を増加させることができることから、従来と比較してブロック本体の重量を軽減させることができ、かつブロック本体の体積を小さくすることができるようになる。
【００１３】
請求項２に係る支柱固定用コンクリートブロックによれば、隣合う２つの側面の下方に延設底板を設けてあるので、交差路の角等のように２側面側に構築物が存在する場合であっても、これら構築物に当接させつつ設置することができる。
【００１４】
請求項３に係る支柱固定用コンクリートブロックによれば、３つの側面の下方に延設底板を設けてあるので、一側面側に壁面や側溝ブロック等の構築物が存在する場合であっても、これら構築物に当接させつつ設置することができる。
【００１５】
請求項４に係る支柱固定用コンクリートブロックによれば、延設底板を全ての側面に設けられているので、最も安定した固定力を有する支柱固定用コンクリートブロックを提供することができる。
【００１６】
請求項５に係る支柱固定用コンクリートブロックによれば、支柱固定用孔を複数設けてあるので、道路標識やカーブミラーの支柱を連続して設置することができる。また、防護柵などのように複数連続して設置するものにおいては、隣合った防護柵の支柱を近接して設置することができるので、防護柵間の隙間を狭くして設置することができるようになる。
【００１７】
請求項６に係る支柱固定用コンクリートブロックによれば、ブロック上面を支柱固定用孔周辺が最も高くなる傾斜面にしてあるので、上面に降った雨水等を外側に向かって排出でき、支柱側に雨水が溜まるのを防止することができる。従って、支柱が錆などによって腐食されるのを最小限に抑えることができる。
【００１８】
請求項７に係る支柱固定用コンクリートブロックによれば、ブロック本体を直方体に作製してあるので、設置する場所に壁面や側溝ブロックなどが設置されている場合でも、これらに接触させて配置することができ、また、連続して設置することもできるようになる。
【発明を実施するための最良の形態】
【００１９】
本発明の支柱固定用コンクリートブロックを実施するための最良の形態について説明する。本発明の支柱固定用コンクリートブロックは、支柱を固定するための支柱固定用孔を設けたブロック本体と、埋め戻し土を載せてブロック本体を固定するための延設底板とを備えている。
【００２０】
ブロック本体としては、コンクリートを用いて立方体又は略直方体に形成してあり、上面から下面に向かって穿ってある支柱固定用孔を形成してある。ブロック本体の大きさについては限定するものではなく、また縦、横及び高さの比率についても限定するものではない。また支柱固定用孔の形状についても限定するものではなく円形でも矩形でも構わない。孔の大きさについても限定するものではない。立設される支柱の直径に応じて適宜選択すればよい。例えば、立設される支柱とほぼ同様の直径を有する円形の孔に設ければ支柱を挿入するだけで立設することができる。他方、支柱の直径より大きい丸孔として、支柱と支柱固定用孔との間に隙間を設けられるようにし、その隙間に生コンクリート打設してブロック本体と支柱を固定してもよい。なお、支柱固定用孔の長さは限定するものではなく、上面から底面まで貫通して設けても、貫通させなくても構わない。さらに、設ける支柱固定用孔の数についても限定するものではなく、複数設けても構わない。複数設ければ一つの支柱固定用コンクリートブロックに複数の標識やカーブミラーなどを設置することができる。また、隣接して２つの支柱固定用孔を設ければ、図１４のように隣り合う防護柵の支柱を立設して防護柵を連続して設置できるようになる。
【００２１】
ブロックの上面としては水平面に設けてもよいが、支柱固定用孔の近傍を最も高くし、その周囲を低く形成した傾斜面に設けるとよい。このような傾斜面とすれば、雨が降った場合においても、支柱に降った雨水を周囲に流すことができ、錆等による腐食から支柱を守ることができる。
【００２２】
一方、延設底板は、ブロック本体の下方から側方外側に向かって延設してある。この延設底板は、延設底板上面に載せられる埋め戻し土の重量を利用してブロック本体を固定するためのものである。延設底板の形状は、面積を大きくとることができる矩形の平板状に設けることが好ましいが、特に形状を限定するものではない。勿論、周囲の構築物と干渉する場合に一部を削ったりして使用しても構わない。
【００２３】
また、延設底板を設ける場所は、埋め戻し土の重量を最も稼げるようにブロック本体の下端に設けることが好ましいが、必ずしも下端である必要はなく、設置場所に応じて下端より上方に設けたものを使用しても構わない。また、延設底板は必ずしも全側面に設ける必要はなく、必要に応じて、一側面のみに設けたり、二側面又は三側面のみに設けたりしても構わない。例えば、延設底板を二側面に設ければ、図１０の如く道路の角のように周囲に側溝ブロック等の構築物が存在する場合であっても、構築物に当接して設置することができるようになる。また、三側面に設ければ、図８のように一方側面側に側溝ブロック、擁壁ブロック等の構築物が存在する場合であっても、当接して設置することができるようになる。このように当接して設けることで、本発明に係るブロック本体は、もともと従来からあるブロックの大きさより小さく形成してあるので、側面から支柱固定用孔までの距離が従来のブロックより短くなり、支柱を立設する位置を側溝ブロック等の構築物に近づけて設置することができる。
【００２４】
さらに、延設底板を設けることによって、従来はブロックの自重によって支柱を支えていたのであるが、延設底板に載せられた埋め戻し土の重量も利用してブロック本体、ひいてはブロック本体に固定された支柱を固定することができるようになる。この作用によって、従来、ブロック本体の大きさや重量を決定する際に、支柱から受ける力による割れや破壊を防止する目的で重量を定めるのではなく、ブロック本体の移動や転倒を防止するという観点から重量が決定されていたが、本発明によれば、支柱固定用コンクリートブロックの移動や転倒のための固定力は延設底板の長さによって調整できるので、ブロック本体は支柱による割れや破壊を防止できる程度の大きさでブロック本体を作製すれば済むようになる。結果として、従来と比較して小さく、かつ軽量なブロック本体とすることができるようになる。
【実施例１】
【００２５】
以下、支柱固定用コンクリートブロックの最適な実施例について、図に沿って説明する。図１は実施例１に係る支柱固定用コンクリートブロック１００の斜視図、図２は、実施例１に係る支柱固定用コンクリートブロック１００の平面図、図３は、実施例１に係る支柱固定用コンクリートブロック１００の断面図を示している。
【００２６】
実施例１における支柱固定用コンクリートブロック１００は、ブロック本体１０と、延設底板２０とを有している。ブロック本体１０は、高さ５０ｃｍ、縦３０ｃｍ、横４０ｃｍの直方体に設けてある。そして、ブロック本体１０の中央に上面から下面まで貫通する支柱固定用孔１１を設けてある。支柱固定用孔１１としては、支柱３０の直径に対して約６ｃｍ程度大きい直径を有する円形断面に形成してある。さらに、ブロック本体１０の上面は、支柱固定用孔１１の周辺が最も高く、かつ周囲が低くなるような傾斜面に設けてある。
【００２７】
一方、延設底板２０としては、ブロック本体１０の全ての側面から側方方向に延びた厚さ１０ｃｍの板状で、ブロック本体１０から１５ｃｍ延設して形成してある。この延設底板２０を設けることで、道路脇の地中に設置した場合に延設底板２０の上に埋め戻し土を載せて、この埋め戻し土の重量を利用して支柱固定用コンクリートブロック１００の移動・転倒を防止させることができるようになる。その結果、ブロック本体１０の部分の重量を軽減させることができ、かつ小さく形成することができるようになる。すなわち、従来であれば、底板の大きさである縦６０ｃｍ、横７０ｃｍの直方体のコンクリートブロックで作製する必要があったが、先述したように本体部分は縦３０ｃｍ、横４０ｃｍの直方体で作製すれば十分にとなるのである。
【００２８】
以上のように作製した支柱固定用コンクリートブロック１００は、標識やカーブミラー等を設置する付近を掘削し、底均しをする。その後、必要であれば、底盤を設置したり、砕石を敷き詰めたりして底面に基礎を作製する。その後、支柱固定用コンクリートブロック１００を載置した後、埋め戻し土で周囲を埋め戻して地中に埋めた状態で設置させる。その後、必要に応じた標識やカーブミラーの支柱３０を支柱固定用孔１１に嵌め込み、支柱３０と支柱固定用孔１１の間の隙間に生コンクリートを挿入して（図４参照）、それぞれを互いに固定する。その後、この支柱に必要な標識やカーブミラーを取り付けて道路標識やカーブミラーとして使用される（図５）。
【実施例２】
【００２９】
図６に、実施例２に係る支柱固定用コンクリートブロック１０１の斜視図を示してある。実施例２における支柱固定用コンクリートブロック１０１は、３つの側面に延設底板２０を設けたものである。そして、延設底板２０を設けていない１つの側面は、ブロック本体１０の側面と面一となる平面としてある。図７に示すように、支柱固定用孔１１は底面まで貫通させずに途中まで穿ってある。その他の構成については、実施例１と同様である。
【００３０】
実施例２に係る支柱固定用コンクリートブロック１０１によれば、道路に側溝ブロック等が敷設してあったり（図８参照）、擁壁ブロックが敷設してある場合であっても、これら側溝ブロックや擁壁ブロックに当接させた状態で支柱固定用コンクリートブロック１０１を敷設することができる。また、従来のブロックと比較してブロック本体自体が小さいので、側溝ブロックや擁壁ブロックなどの構築物に対して近くに支柱を立てることができる。
【実施例３】
【００３１】
図９に、実施例３に係る支柱固定用コンクリートブロック１０２の斜視図を示してある。この実施例３における支柱固定用コンクリートブロック１０２は、隣り合う２つの側面に延設底板２０を設けたものである。すなわち、延設底板２０を設けず、ブロック本体１２の側面と面一となる側面を２面隣り合うように設けたものである。その他の構成は、実施例２と同様である。
【００３２】
この実施例３に係る支柱固定用コンクリートブロック１０２によれば、図１０に示すように、交差点などの角のように側溝ブロック等が屈折して敷設してある場合であっても、支柱固定用コンクリートブロック１０２を側溝ブロックに当接させつつ敷設することができる。また、従来のブロックと比較して側溝ブロックや擁壁ブロックなどの構築物に対して近くに支柱を立てることができる。
【実施例４】
【００３３】
図１１に実施例４に係る支柱固定用コンクリートブロック１０３を示してある。この実施例４における支柱固定用コンクリートブロック１０３は、実施例１に記載の支柱固定用コンクリートブロック１００に対し、支柱固定用孔１１の断面を四角形に設けたものである。その他の点は、実施例１と同様である。
【００３４】
実施例４に係る支柱固定用コンクリートブロック１０３には、標識やカーブミラーの支柱３０を、図１１のように支柱３０に棒状体を貫通させたものを使用するとよい。この支柱３０を四角断面の孔の角に位置するように設置して嵌め込み（図１２参照）、支柱３０と支柱固定用孔１１の間の隙間に生コンクリートを挿入して、それぞれを互いに固定すると、支柱３０と固化したコンクリート間で発生する可能性のある隙間によって支柱３０が自転するのを防止することができるようになる。なお、このような棒状体を貫通させた支柱は、この実施例４にのみ有効なものではなく、実施例１〜３及び５についても使用することができる点はいうまでもない。
【実施例５】
【００３５】
図１３には、実施例５に係る支柱固定用コンクリートブロック１０４を示してある。この実施例５における支柱固定用コンクリートブロック１０４は、高さ５０ｃｍ、横６０ｃｍ、縦３０ｃｍのブロック本体で形成してある。そして、ブロック本体１０の上面から下面まで貫通する支柱固定用孔１１を長手方向に連続して２つ設けてある。支柱固定用孔１１としては、支柱３０の直径に対して約６ｃｍ程度大きい直径を有する円形断面に形成し、上面が支柱固定用孔１１の周辺が最も高くして、かつ周囲が低くなるように傾斜面に設けてある点は実施例１と同様である。一方、延設底板２０は、ブロック本体１０の全ての側面から側方方向に厚さ１０ｃｍの板状で、１５ｃｍ延設して設けてある。
【００３６】
以上のように作製した支柱固定用コンクリートブロック１０４は、図１４に示したように、隣合う防護柵の支柱を固定孔に挿入して、生コンクリートで固定して立設させて使用される。このように、本実施例５における支柱固定用コンクリートブロック１０３によれば、隣合う支柱を隣接して設置できるので、隣り合う防護柵の間の隙間を従来と比較して狭くすることができるようになる。
【図面の簡単な説明】
【００３７】
【図１】実施例１に係る支柱固定用コンクリートブロックを表す斜視図である。
【図２】実施例１に係る支柱固定用コンクリートブロックを表す平面図である。
【図３】実施例１に係る支柱固定用コンクリートブロックの断面図である。
【図４】実施例１に係る支柱固定用コンクリートブロックに支柱を立てた状態で生コンクリートを挿入する状態を示す模式図である。
【図５】実施例１に係る支柱固定用コンクリートブロックを道路に敷設した状態を示す斜視図である。
【図６】実施例２に係る支柱固定用コンクリートブロックを表す斜視図である。
【図７】実施例２に係る支柱固定用コンクリートブロックの断面図である。
【図８】実施例２に係る支柱固定用コンクリートブロックを道路に敷設した状態を示す斜視図である。
【図９】実施例３に係る支柱固定用コンクリートブロックを表す斜視図である。
【図１０】実施例３に係る支柱固定用コンクリートブロックを道路に敷設した状態を示す斜視図である。
【図１１】実施例４に係る支柱固定用コンクリートブロックを表す斜視図である。
【図１２】実施例４に係る支柱固定用コンクリートブロックを敷設した状態を示す斜視図である。
【図１３】実施例５に係る支柱固定用コンクリートブロックを表す斜視図である。
【図１４】実施例４に係る支柱固定用コンクリートブロックを敷設した状態を示す斜視図である。
【符号の説明】
【００３８】
１００、１０１、１０２  支柱固定用コンクリートブロック
１０                    ブロック本体
１１                    支柱固定用孔
２０                    延設底板
３０                    支柱
【図１】
2006299530.tif 000003
【図２】
2006299530.tif 000004
【図３】
2006299530.tif 000005
【図４】
2006299530.tif 000006
【図５】
2006299530.tif 000007
【図６】
2006299530.tif 000008
【図７】
2006299530.tif 000009
【図８】
2006299530.tif 000010
【図９】
2006299530.tif 000011
【図１０】
2006299530.tif 000012
【図１１】
2006299530.tif 000013
【図１２】
2006299530.tif 000014
【図１３】
2006299530.tif 000015
【図１４】
2006299530.tif 000016